(57)【要約】  【課題】個別に冷却していた蓄冷剤と折り畳み保冷庫を同時に冷却することができ、また、蓄冷剤を改めて取付ける必要が無く、庫内が蓄冷剤で凸部にならず庫内の冷却食品が均等に冷却できる折畳み式保冷庫を提供する。  【解決手段】折畳み式保冷庫は、上部開放蓋６の外面材１と内面材２との間の内部空間３の内周壁間の全面に真空断熱材４と蓄冷剤５とを蓄冷剤５の外側に真空断熱材４が隣接するように設けたものであり、上部開放蓋６の一辺は、保冷庫本体７と、固定部材８の縫製により固定される。これにより、庫内に蓄冷剤５の取付け部の凸部が無くなり収納面積効率が高くなり、庫内が平面になり庫内上前面より冷却することが可能である。【選択図】図１
2007240021.tif 000002
【特許請求の範囲】
【請求項１】
上部開放蓋の外面材と内面材との間の内周壁間の全面に真空断熱材と蓄冷剤とを前記蓄冷剤の外側に前記真空断熱材が隣接するように設けた折畳み式保冷庫。
【請求項２】
上部開放蓋は、脱着自在であることを特徴とする請求項１記載の折畳み式保冷庫。
【請求項３】
真空断熱材と蓄冷剤の両方または前記真空断熱材のみを収納する収納部材を有する請求項１または２に記載の折畳み式保冷庫。
【請求項４】
上部開放蓋は、少なくとも２分割以上折り畳めることが出来、脱着自在であることを特徴とする請求項１から３のいずれか一項に記載の折畳み式保冷庫。
【請求項５】
保冷庫本体の外面材と内面材との間に真空断熱材と蓄冷剤とを前記蓄冷剤の外側に前記真空断熱材が隣接するように設けたことを特徴とする請求項１から４のいずれか一項に記載の折畳み式保冷庫。
【発明の詳細な説明】
【技術分野】
【０００１】
本発明は、真空断熱材から構成された折畳み式保冷庫に関するものである。
【背景技術】
【０００２】
本発明は、真空断熱材から構成された断熱保冷庫の構造に関するものである。
【０００３】
近年、冷凍食品などの普及に伴い保冷を必要とする冷凍商品の配送が増加している。このような配送は、冷凍商品の工場から卸業者（物流センター）などへの大口配送と、卸業者からスーパーマーケットやコンビニエンスストアなどへの小口配送とに区分して行われるのが一般的である。
【０００４】
ところで、卸業者からマーケットやコンビニエンスストアなどへ冷凍商品を配送する小口配送では、冷凍商品を配送先毎に区別して保冷容器に収納して配送される。
【０００５】
従来より、保冷容器としては、発泡ポリスチレンや硬質発泡ウレタンフォームなどの簡易な断熱材を用い、チャックや面ファスナなどを用いて蓋の開閉を行うものが多用されている。しかし、このような保冷容器は断熱材の初期熱伝導率が高く保冷性能に劣り、しかも、配送後の運搬や保管に嵩張る嫌いがある。このため、保冷性能を向上させた折畳み可能な保冷容器が開発された（特許文献１参照）。
【０００６】
図６は、特許文献１に開示された保冷容器１００を示す斜視図である。特許文献１に開示された保冷容器１００は、柔軟性を有する外袋１０１および内袋１０３と、真空断熱パネル１０２で構成される。外袋１０１は、底面と４側面の５面が略直方体に縫製され、側面から底面を経て対向する側面に渡ってベルト１０５が掛けられている。また、外袋１０１の上部一辺には蓋部１０４が縫製され、外袋１０１の底部と蓋部１０４の内部には、予め真空断熱パネル（図示せず）が設けられている。
【０００７】
使用に際しては、外袋１０１の４側面に沿って４枚の断熱パネル１０２を挿入し、断熱パネル１０２の面ファスナ１１１を外袋１０１の面ファスナ１１０に係合させる。更に、内袋１０３を断熱パネル１０２の装着された外袋１０１の内部に挿入し、内袋１０３の面ファスナ１１２を断熱パネル１０２の面ファスナ１１１に係合させて組み立てられる。
【０００８】
組み立てられた保冷容器１００の内袋１０３の内部に、冷凍商品などを収納し、蓋部１０４を外袋１０１に被せて、蓋部１０４の面ファスナ１０６，１０８を外袋１０１の面ファスナ１０７，１０９に各々係合させて閉じられ配送が行われる。
【０００９】
また、特許文献１に開示された保冷容器１００は、不使用時に折り畳み可能である。則ち、不使用時は、組み立て時とは逆に、外袋１０１から内袋１０３および４枚の断熱パネル１０２を取り外し、外袋１０１の内部に取り外した断熱パネル１０２および折り畳んだ内袋１０３を収納する。そして、外袋１０１を折り畳みつつ蓋部１０４を底面に対向させて重ね合わせ、ベルト１０５の両端にベルト１１３をかけて折り畳まれる。
【００１０】
則ち、特許文献１に開示された保冷容器１００は、使用時は断熱性を有する箱体として冷凍商品の保冷配送に供され、不使用時は、折り畳んで嵩張ることなく運搬・保管できるものである。
【００１１】
ところで、食品などの配送に使用される配送車は、大別して冷凍車、冷蔵車（チルド車）、保冷車および常温車に区別される。
【００１２】
また、配送車のなかには、一台の車両に冷凍庫と冷蔵庫の双方を備えた冷凍・冷蔵車や、一つの収納庫の温度を冷凍用や冷蔵用に切換可能で、冷凍食品から常温保存食品までの全ての配送に対応可能な車両もある。
【００１３】
しかし、このような複合機能を備えた車両は一般的ではなく、冷凍商品を配送する際は、蓄冷剤の挿入された保冷容器に冷凍商品を収納したうえで、前記保冷容器を冷凍車を用いて配送されるのが通例である。
【特許文献１】特開２００３−１１２７８６号公報
【発明の開示】
【発明が解決しようとする課題】
【００１４】
しかしながら、上記従来の構成では、冷凍食品を冷やす場合、予め、蓄冷剤および、保冷容器を別々に冷やす必要があり、冷却時間、場所が多く作業効率が悪いことがあった。
【００１５】
又、蓄冷剤を庫内に取り付ける場合、蓄冷剤が凸になり庫内の食品が均等に置くことが出来ない。
【００１６】
本発明は、上記従来の課題に鑑みて提案されるもので、個別に冷却していた蓄冷剤と折り畳み保冷庫を同時に冷却することができ、また、蓄冷剤を改めて取付ける必要が無く、庫内が蓄冷剤で凸部にならず庫内の冷却食品が均等に冷却できる折畳み式保冷庫を提供することを目的とする。
【課題を解決するための手段】
【００１７】
上記目的を達成するために、本発明は、上部開放蓋の外面材と内面材との間の内周壁間の全面に真空断熱材と蓄冷剤とを前記蓄冷剤の外側に前記真空断熱材が隣接するように設けたのである。
【発明の効果】
【００１８】
本発明の折畳み保冷庫は、個別に冷却していた蓄冷剤と折り畳み保冷庫を同時に冷却することが出来る。また、蓄冷剤を改めて取付ける必要が無く、庫内が蓄冷剤で凸部にならず庫内の冷却食品が均等に冷却できる。
【発明を実施するための最良の形態】
【００１９】
請求項１に記載の折畳み保冷庫の発明は、上部開放蓋の外面材と内面材との間の内周壁間の全面に真空断熱材と蓄冷剤とを前記蓄冷剤の外側に前記真空断熱材が隣接するように設けたことにより、庫内に蓄冷剤の取付け部の凸部が無くなり、庫内が平面になり、冷凍食品を均等に冷却することが出来る。
【００２０】
請求項２に記載の折畳み保冷庫の発明は、請求項１に記載の発明における上部開放蓋が、脱着自在であることにより、上部開放蓋と、蓄冷剤が同時に冷却でき、短時間に折畳み保冷庫を設置することが出来き、作業効率の改善を図ることができる。
【００２１】
請求項３に記載の折畳み保冷庫の発明は、請求項１または２に記載の発明において、真空断熱材と蓄冷剤の両方または前記真空断熱材のみを収納する収納部材を有するものであり、更に庫内外全面の真空断熱材の保護が出来、真空断熱材の破損が無くなり、品質の安定化が図れる。
【００２２】
請求項４に記載の折畳み保冷庫の発明は、請求項１から３のいずれか一項に記載の発明における上部開放蓋が、少なくとも２分割以上折り畳めることが出来、脱着自在であることにより、容易に取り外しができ、コンパクトな場所で開放蓋を冷却することが出来き、作業効率の改善を図ることができる。
【００２３】
請求項５に記載の折畳み保冷庫の発明は、請求項１から４のいずれか一項に記載の発明において、保冷庫本体の外面材と内面材との間に真空断熱材と蓄冷剤とを前記蓄冷剤の外側に前記真空断熱材が隣接するように設けたものであり、庫内の実負荷が、均等に冷却でき、食品の保冷時間が長くなり、品質の向上が図れる。
【００２４】
以下、本発明の実施の形態について、図面を参考にしながら説明する。なお、この実施の形態によってこの発明が限定されるものではない。
【００２５】
（実施の形態１）
図１は、本発明の実施の形態１における折畳み式保冷庫の上部開放蓋の端部周辺を示す要部断面図である。
【００２６】
本実施の形態の折畳み式保冷庫は、上部開放蓋６の外面材１と内面材２との間の内部空間３の内周壁間の全面に真空断熱材４と蓄冷剤５とを蓄冷剤５の外側に真空断熱材４が隣接するように設けたものであり、上部開放蓋６の一辺は、保冷庫本体７と、固定部材８の縫製により固定される。
【００２７】
以上のように構成された本実施の形態の折畳み式保冷庫の上部開放蓋６は、蓄冷剤５の外側に真空断熱材４が隣接するように真空断熱材４と蓄冷剤５を抱きあわせて、外面材１と内面材２との間の内部空間３に収納することにより、庫内に蓄冷剤５の取付け部の凸部が無くなり収納面積効率が高くなり、庫内が平面になり庫内上前面より冷却することが可能である。
【００２８】
（実施の形態２）
図２は、本発明の実施の形態２における折畳み式保冷庫の上部開放蓋の端部周辺を示す要部断面図である。
【００２９】
本実施の形態の折畳み式保冷庫は、上部開放蓋６の外面材１と内面材２との間の内部空間３の内周壁間の全面に真空断熱材４と蓄冷剤５とを蓄冷剤５の外側に真空断熱材４が隣接するように設けたものであり、上部開放蓋６の一辺と固定部材８の一端が縫製により固定され、保冷庫本体７と固定部材８の他端は、面ファスナー９により脱着自在にできるよう構成される。
【００３０】
以上のように構成された本実施の形態の折畳み式保冷庫の上部開放蓋６は、保冷庫本体７と脱着自在にできる為、上部開放蓋６と蓄冷剤５が同時に冷却でき、短時間に折畳み保冷庫を設置することが出来る。
【００３１】
（実施の形態３）
図３は、本発明の実施の形態３における折畳み式保冷庫の上部開放蓋の端部周辺を示す要部断面図である。
【００３２】
本実施の形態の折畳み式保冷庫は、上部開放蓋６の外面材１と内面材２との間の内部空間３の内周壁間の全面に真空断熱材４と蓄冷剤５とを蓄冷剤５の外側に真空断熱材４が隣接するように設けたものであり、上部開放蓋６の一辺は、保冷庫本体７と、固定部材８の縫製により固定され、真空断熱材４と蓄冷剤５の両方は、Ｕ字型の収納部材１０に収納されている。本実施の形態では、真空断熱材４と蓄冷剤５の両方を、Ｕ字型の収納部材１０に収納しているが、真空断熱材４のみをＵ字型の収納部材１０に収納するようにしても良い。
【００３３】
以上のように構成された本実施の形態の折畳み式保冷庫の上部開放蓋６は、真空断熱材４と蓄冷剤５を抱きあわせてＵ字型の収納部材１０に収納した状態で、外面材１と内面材２との間の内部空間３に収納することにより、真空断熱材４の保護が出来、真空断熱材４の破損が無くなる。
【００３４】
（実施の形態４）
図４は、本発明の実施の形態４における折畳み式保冷庫の上部開放蓋の端部周辺を示す要部断面図である。
【００３５】
本実施の形態の折畳み式保冷庫は、上部開放蓋１５の外面材１１と内面材１２との間の内部空間３の内周壁間の全面に真空断熱材１４と蓄冷剤１５とを蓄冷剤１５の外側に真空断熱材１４が隣接するように設けたものであり、上部開放蓋１５が、少なくとも２分割以上折り畳めることが出来、上部開放蓋１５の一辺と固定部材８の一端が縫製により固定され、保冷庫本体７と固定部材８の他端は、面ファスナー９により脱着自在にできるよう構成される。
【００３６】
以上のように構成された本実施の形態の折畳み式保冷庫の上部開放蓋１５は、少なくとも２分割以上折り畳めることが出来、保冷庫本体７と脱着自在である為、容易に取り外しでき、上部開放蓋１５をコンパクトに冷却することが出来る。
【００３７】
（実施の形態５）
図５は、本発明の実施の形態５における折畳み式保冷庫の上部開放蓋の端部周辺を示す要部断面図である。
【００３８】
本実施の形態の折畳み式保冷庫は、上部開放蓋６の外面材１と内面材２との間の内部空間３の内周壁間の全面に真空断熱材４と蓄冷剤５とを蓄冷剤５の外側に真空断熱材４が隣接するように設け、保冷庫本体７の外面材１６と内面材１７との間の内部空間１８に真空断熱材１９と蓄冷剤２０とを蓄冷剤２０の外側に真空断熱材１９が隣接するように設けたものであり、上部開放蓋６の一辺と固定部材８の一端が縫製により固定され、保冷庫本体７と固定部材８の他端は、面ファスナー９により脱着自在にできるよう構成される。
【００３９】
以上のように構成された本実施の形態の折畳み式保冷庫は、保冷庫本体７、上部開放蓋６とも脱着自在にできる為、庫内の実負荷が、均等に冷却出来る。
【産業上の利用可能性】
【００４０】
本発明の折畳み式保冷庫は、蓄冷剤および折畳み式保冷庫を同時に冷却でき合理的で省コスト化および作業効率の向上を図ることができるので、冷凍商品の配送等に利用できる。また、蓄冷剤の代わりに蓄熱剤を使用すれば、折畳み式保温庫としても利用できる。
【図面の簡単な説明】
【００４１】
【図１】本発明の実施の形態１における折畳み式保冷庫の上部開放蓋の端部周辺を示す要部断面図
【図２】本発明の実施の形態２における折畳み式保冷庫の上部開放蓋の端部周辺を示す要部断面図
【図３】本発明の実施の形態３における折畳み式保冷庫の上部開放蓋の端部周辺を示す要部断面図
【図４】本発明の実施の形態４における折畳み式保冷庫の上部開放蓋の端部周辺を示す要部断面図
【図５】本発明の実施の形態４における折畳み式保冷庫の上部開放蓋の端部周辺を示す要部断面図
【図６】（ａ）は、従来の折畳み式保冷庫の構造を示す組立斜視図、（ｂ）は（ａ）の折畳み式保冷庫を折り畳んだ状態を示す外観斜視図
【符号の説明】
【００４２】
１，１１，１６  外面材
２，１２，１７  内面材
４，１３，１９  真空断熱材
５，１４，２０  蓄冷剤
６，１５        上部開放蓋
７              保冷庫本体
１０            収納部材
【図１】
2007240021.tif 000003
【図２】
2007240021.tif 000004
【図３】
2007240021.tif 000005
【図４】
2007240021.tif 000006
【図５】
2007240021.tif 000007
【図６】
2007240021.tif 000008